(57)【特許請求の範囲】
【請求項１】
下面に吸込口を有する吸込具本体と、前記吸込口に臨むように前記吸込具本体内に回転自在に設けた回転体と、前記回転体を回転駆動する電動機と、前記吸込具本体を上下反転した時、前記電動機を停止させる安全装置とを備え、前記安全装置は、前記電動機をオンオフ制御するスイッチと、前記吸込具本体の被掃除面への接地状態及び非接地状態を検知する検出部と、前記下部ケースに回動自在に軸支され前記検出部の上下動に応じて前記スイッチを操作する操作部と、前記操作部の回動に連動する略Ｕ字状のストッパー片と、前記吸込具本体の上下反転により上下方向に移動する球体状の移動体と、前記ストッパー片に対向する位置に設けられており、１ヶ所又はそれ以上の凹部が設けられた傾斜面を有するガイド体とから構成されており、前記ガイド体の前記傾斜面の中央には、前記吸込具本体の上下反転時に、前記ガイド体に前記移動体が落ち込む溝部が設けられており、前記ストッパー片の先端部の前記ガイド体に対向する位置には、前記移動体の外形形状に沿うように断面が略円弧状に形成された挟持部と、前記ガイド体の前記溝部に入り込むように形成されており、前記移動体の外形形状に沿うように断面が略円弧状に形成された阻止体とが設けられており、前記安全装置は、前記吸込具本体の上下反転時に、前記ガイド体、前記挟持部、及び前記阻止体により前記移動体を保持するとともに、前記移動体の前記吸込具本体の上下反転時における下方への移動を阻止する構成とした電気掃除機用吸込具。
【請求項２】
吸込具本体の上下反転時に、ガイド体とストッパー片に形成された挟持部により移動体が挟持され操作部の回動を阻止する位置が、前記ガイド体と阻止体により前記移動体が保持された位置に対して、前記吸込具本体の上下反転時における上方に構成された請求項１記載の電気掃除機用吸込具。
【請求項３】
吸込具本体の上下反転時に、ガイド体と挟持部により移動体を挟持した状態において、前記移動体と前記ガイド体が接触する接触部と、前記移動体と前記挟持部が接触する接触部とにより前記移動体が水平方向に対して斜めに挟持される構成とした請求項１又は２記載の電気掃除機用吸込具。
【請求項４】
移動体が挟持された状態において、前記移動体と阻止体の間に隙間を形成した請求項１〜３のいずれか１項に記載の電気掃除機用吸込具。
【請求項５】
移動体が挟持された状態において、ガイド体と前記移動体の接触部を複数ヶ所設けた請求項１〜４のいずれか１項に記載の電気掃除機用吸込具。
【請求項６】
通常使用時において、ストッパー片の一部がガイド体の溝部に入り込むように構成した請求項１〜５のいずれか１項に記載の電気掃除機用吸込具。
【請求項７】
通常使用時において、移動体の移動を最小限に抑える規制体をストッパー片に構成した請求項１〜６のいずれか１項に記載の電気掃除機用吸込具。
【請求項８】
移動体がガイド体に当たる時に発生する共振音を防止する防振体を吸込具本体を構成する壁体と前記ガイド体の間に当接して設けた請求項１〜７のいずれか１項に記載の電気掃除機用吸込具。
【請求項９】
塵埃吸引用の電動送風機と、塵埃を捕集する集塵室を有し、請求項１〜８のいずれか１項に記載の電気掃除機用吸込具と連通するように接続される接続口を備えた電気掃除機。
【発明の詳細な説明】
【０００１】
【発明の属する技術分野】
本発明は、電気掃除機用吸込具、特に、絨毯等に付着したゴミを掻き出すための回転体を備えた電気掃除機用吸込具及びそれを用いた電気掃除機に関するものである。
【０００２】
【従来の技術】
従来の電気掃除機用吸込具を、図９〜１６を用いて説明する。
【０００３】
図１２、１３において、４２は吸込具本体で、下面前方に吸込口４４を形成した下部ケース４５と、下部ケース４５の上方を覆う上部ケース４６とから構成されている。４８は吸込具本体４２に回転自在に支持された回転体で、吸込口４４に臨ませて配置されている。４９は吸込口本体４２の下部ケース４５と上部ケース４６とで囲まれる空間に配設される電動機で、回転体４８との間にベルト５０を架設し、回転体４８を回転駆動するようになっている。５１は、吸込口本体４２の下部ケース４５と上部ケース４６とで囲まれる空間に配設される安全装置である。
【０００４】
安全スイッチ５１を図９〜１１、図１４〜１６に基づいて詳述する。
【０００５】
図１４において、５２は操作部で、軸５３を吸込具本体４２と後述するカバー体５４との間で回転自在に軸支している。５５は操作部５２の軸の一端側に設けられたブラケットで、回転ローラー５６を回転自在に軸支する軸支部５７を有している。５８は操作部５２の軸５３の中央部に設けられたバネ受け部で、後述するカバー体５４との間にバネ（図示せず）を架設し、バネにより操作部５２を回転ローラー５６が吸込具本体４２の底面から突出する方向に付勢している。５９は操作部５２の軸５３の他端側に設けられた略Ｕ字状のストッパー片、６０は操作部５２の軸５３の他端に設けられた操作片で、吸込具本体４２を被掃除面６１に接地した際に回転ローラー５６が被掃除面６１に押し上げられるのに伴って回転し、後述するスイッチ６２を操作するようになっている。
【０００６】
図１５及び１６において、５４は操作部５２のブラケット５５、バネ受け部５８及びストッパー片５９を覆うカバー体で、吸込具本体４２の底面に嵌合して吸込具本体４２に固定するようになっている。６４はカバー体５４の操作片６０に対応する位置に形成された装着部で、後述するスイッチ６２が装着されるようになっている。６６はカバー体５４に形成された上面開口の筒状のガイド部で、操作部５２のストッパー片５９を囲み、その上面開口に、上部ケース４６に形成した当接リブ６７により挟持部６８を構成している。６９はガイド部６６の内部を２室に区画する区画リブで、一方の室に位置するストッパー片５９の凹所に位置し、ストッパー片５９に当接して操作部５２の回動を妨げない高さに形成されており、後述するボール７０がストッパー片５９の凹所内に入り込まないようにしている。７０はガイド部６６の他方の室に上下自在に配置されているボール、６２は装着部６４に装着されるスイッチで、電動機４９をオンオフ制御するようになっている。
【０００７】
上記構成において、吸込具本体４２を被掃除面６１に接地させると、図１０、図１４に示すように、ばねの付勢力に抗して回転ローラー５６が被掃除面６１によって押し上げられて操作部５２が回動し、操作部５２の回転に伴って操作片６０がスイッチ６２をオン状態として電動機４９を回転させて回転体４８を駆動する。尚、この状態では、ボール７０はストッパー片５９の凹所に位置している。
【０００８】
掃除場所を移動する場合など、吸込具本体４２を被掃除面６１から離間すると図１１に示すように、回転ローラー５６がバネの付勢力により吸込具本体４２の底面から突出し、それに伴う操作部５２の回転により操作片６０がスイッチ６２から離間しスイッチ６２がオフ状態となり、電動機４９が停止する。この状態では、ストッパ片５９はガイド部６６の一方の室へ回動し、ボール７０の上方向への移動を妨げない状態となっている。
【０００９】
吸込具本体４２の上下反転時に、図９に示すように、ボール７０が自重によってガイド部６６の壁面と上部ケース４６の当接リブ６７に当接した位置へと移動する。この状態で、誤って回転ローラー５６を押し下げる方向に操作しても、ストッパー片５９の先端がボール７０に当接して操作部５２の回転が阻止され、操作片６０がスイッチ６２から離間した状態を維持し、不用意に回転体４８が回転するのを防止する。
【００１０】
【発明が解決しようとする課題】
しかしながら上記従来の電気掃除機用吸込具にあっては、吸込具本体４２を不用意に上下反転させた時、回転ローラー５６に外部から力が加わりストッパー片５９が動くと、ボール７０近傍付近に前記ボール７０の動きを規制するものがないために、ボール７０が静止状態を維持することができずに非常に不安定な状態になり、最悪ケースではボール７０が挟持不能となり不用意なロック解除により回転体４８が回転してしまうという安全装置としての信頼性が不十分であった。
【００１１】
また、吸込具本体４２を上下反転させた時、ボール７０近傍付近に前記ボール７０の動きを規制するものがないために、ボール７０が水平方向に転がるとガイド部６６等に衝突し不快な音が発生していた。
【００１２】
さらに、掃除中に敷居を乗り越えるなど強い衝撃が吸込具本体４２に加わった時、ボール７０が衝撃により重力に逆らってストッパー片５９の根元上部から当接リブ６７までガイド部６６の壁面に沿って垂直に移動し挟持部６８に到達し不用意にボール７０が挟持され吸込具本体４２の底面から回転ローラー５６が突出したままになり使用不可能になるといった最悪状態が発生しやすかった。
【００１３】
本発明は、以上のような従来の課題を解決しようとするものであって、裏返しの状態で不用意なロック解除により回転体が回転することがなく、通常使用状態での不用意なロックを防止するといった使用勝手が良好であると共に、不快音を低減した電気掃除機用吸込具及び清掃作業の快適性を向上させた電気掃除機を提供することを目的としている。
【００１４】
【課題を解決するための手段】
上記目的を達成するために本発明の電気掃除機用吸込具は、下面に吸込口を有する吸込具本体と、前記吸込口に臨むように前記吸込具本体内に回転自在に設けた回転体と、前記回転体を回転駆動する電動機と、前記吸込具本体を上下反転した時、前記電動機を停止させる安全装置とを備え、前記安全装置は、前記電動機をオンオフ制御するスイッチと、前記吸込具本体の被掃除面への接地状態及び非接地状態を検知する検出部と、前記下部ケースに回動自在に軸支され前記検出部の上下動に応じて前記スイッチを操作する操作部と、前記操作部の回動に連動する略Ｕ字状のストッパー片と、前記吸込具本体の上下反転により上下方向に移動する球体状の移動体と、前記ストッパー片に対向する位置に設けられており、１ヶ所又はそれ以上の凹部が設けられた傾斜面を有するガイド体とから構成されており、前記ガイド体の前記傾斜面の中央には、前記吸込具本体の上下反転時に、前記ガイド体に前記移動体が落ち込む溝部が設けられており、前記ストッパー片の先端部の前記ガイド体に対向する位置には、前記移動体の外形形状に沿うように断面が略円弧状に形成された挟持部と、前記ガイド体の前記溝部に入り込むように形成されており、前記移動体の外形形状に沿うように断面が略円弧状に形成された阻止体とが設けられており、前記安全装置は、前記吸込具本体の上下反転時に、前記ガイド体、前記挟持部、及び前記阻止体により前記移動体を保持するとともに、前記移動体の前記吸込具本体の上下反転時における下方への移動を阻止する構成としたものである。
【００１５】
これによって、吸込具本体を上下反転させた時、検出部に外部から力が加わりストッパー片が不用意に動いたとしても、移動体はガイド体と阻止体とで保持され静止状態を維持することができるので、ロックさせる時不安定な状態になることなく移動体は確実に挟持され、不用意なロック解除による回転体の回転を防止でき安全装置としての信頼性を向上することができるものである。また、挟持部が移動体の外形形状に沿うように形成したことにより、吸込具本体の上下反転時に移動体は確実に挟持され、安全装置としての信頼性を向上することができるものである。さらに、吸込具本体の上下反転時に、ガイド体と挟持部により移動体を挟持した状態において、ガイド体に移動体が落ち込む溝部を設けたことにより、吸込具本体の上下反転時に、ガイド体と挟持部により移動体を挟持した状態において、移動体はガイド部の複数の接触部と挟持部とで確実に挟持された状態となり、安全装置としての信頼性を向上することができるものである。また、ガイド体の傾斜面に１ヶ所又はそれ以上の凹部を設けたことにより、掃除を開始しようとして吸込具本体を接地させた時や通常使用中に敷居等を乗り越えるなど吸込具本体に強い衝撃が加わった時、移動体が重力に逆らって上方へ跳ね上がりガイド体の傾斜面の凹部に衝突しランダムに跳ね返らせることができるため、移動体は挟持される位置に移動することなく通常使用中に不用意に移動体が挟持され吸込具本体の底面から検出部が突出したままになり使用不可能になるといった最悪状態を避けることができるものである。
【００１６】
【発明の実施の形態】
請求項１記載の発明は、下面に吸込口を有する吸込具本体と、前記吸込口に臨むように前記吸込具本体内に回転自在に設けた回転体と、前記回転体を回転駆動する電動機と、前記吸込具本体を上下反転した時、前記電動機を停止させる安全装置とを備え、前記安全装置は、前記電動機をオンオフ制御するスイッチと、前記吸込具本体の被掃除面への接地状態及び非接地状態を検知する検出部と、前記下部ケースに回動自在に軸支され前記検出部の上下動に応じて前記スイッチを操作する操作部と、前記操作部の回動に連動する略Ｕ字状のストッパー片と、前記吸込具本体の上下反転により上下方向に移動する球体状の移動体と、前記ストッパー片に対向する位置に設けられており、１ヶ所又はそれ以上の凹部が設けられた傾斜面を有するガイド体とから構成されており、前記ガイド体の前記傾斜面の中央には、前記吸込具本体の上下反転時に、前記ガイド体に前記移動体が落ち込む溝部が設けられており、前記ストッパー片の先端部の前記ガイド体に対向する位置には、前記移動体の外形形状に沿うように断面が略円弧状に形成された挟持部と、前記ガイド体の前記溝部に入り込むように形成されており、前記移動体の外形形状に沿うように断面が略円弧状に形成された阻止体とが設けられており、前記安全装置は、前記吸込具本体の上下反転時に、前記ガイド体、前記挟持部、及び前記阻止体により前記移動体を保持するとともに、前記移動体の前記吸込具本体の上下反転時における下方への移動を阻止する構成としたことにより、吸込具本体を上下反転させた時、検出部に外部から力が加わり不用意にストッパー片が動いたとしても、移動体はガイド体と阻止体とで保持され静止状態を維持することができるので、ロックさせる時不安定な状態になることなく移動体は確実に挟持され、不用意なロック解除による回転体の回転を防止でき安全装置としての信頼性を向上することができるものである。また、挟持部が移動体の外形形状に沿うように形成したことにより、吸込具本体の上下反転時に移動体は確実に挟持され、安全装置としての信頼性を向上することができるものである。さらに、吸込具本体の上下反転時に、ガイド体と挟持部により移動体を挟持した状態において、ガイド体に移動体が落ち込む溝部を設けたことにより、吸込具本体の上下反転時に、ガイド体と挟持部により移動体を挟持した状態において、移動体はガイド部の複数の接触部と挟持部とで確実に挟持された状態となり、安全装置としての信頼性を向上することができるものである。また、ガイド体の傾斜面に１ヶ所又はそれ以上の凹部を設けたことにより、掃除を開始しようとして吸込具本体を接地させた時や通常使用中に敷居等を乗り越えるなど吸込具本体に強い衝撃が加わった時、移動体が重力に逆らって上方へ跳ね上がりガイド体の傾斜面の凹部に衝突しランダムに跳ね返らせることができるため、移動体は挟持される位置に移動することなく通常使用中に不用意に移動体が挟持され吸込具本体の底面から検出部が突出したままになり使用不可能になるといった最悪状態を避けることができるものである。
【００１７】
請求項２記載の発明は、請求項１記載の電気掃除機用吸込具を、吸込具本体の上下反転時に、ガイド体とストッパー片に形成された挟持部により移動体が挟持され、操作部の回動を阻止する位置が、前記ガイド体と阻止体により前記移動体が保持された位置に対して、前記吸込具本体の上下反転時における上方に構成されたことにより、吸込具本体の上下反転時に、検出部に外側から力が加わると移動体はガイド体と阻止体とで保持されていた位置から上方へ移動し、ガイド体と挟持部とで挟持される位置において挟持され、この時、移動体は中心軸を挟まれた状態になり、操作部の回動が阻止されスイッチのオフ状態が維持されるので、吸込具本体の上下反転時に、移動体は確実に挟持され不用意なロック解除による回転体の回転を防止でき安全装置としての信頼性を向上することができるものである。
【００１８】
請求項３記載の発明は、請求項１又は２記載の電気掃除機用吸込具を、吸込具本体の上下反転時に、ガイド体と挟持部により移動体を挟持した状態において、前記移動体と前記ガイド体が接触する接触部と、前記移動体と前記挟持部が接触する接触部とにより前記移動体が水平方向に対して斜めに挟持される構成としたことにより、掃除を開始しようとして吸込具本体を接地させた時や通常使用中に敷居等を乗り越えるなど吸込具本体に強い衝撃が加わった時、移動体が重力に逆らって上方へ跳ね上がりガイド体の傾斜面に衝突し跳ね返るため、移動体は挟持される位置に移動することなく、通常使用中に不用意に移動体が挟持され吸込具本体の底面から検出部が突出したままになり使用不可能になるといった最悪状態を避けることができるものである。
【００１９】
請求項４記載の発明は、請求項１〜３のいずれか１項に記載の電気掃除機用吸込具を、移動体が挟持された状態において、前記移動体と阻止体の間に隙間を形成したことにより、移動体が挟持された状態において、移動体は阻止体により力を受けず、挟持部とガイド体とでのみ挟持されるので移動体は確実に挟持され、安全装置としての信頼性を向上することができるものである。
【００２０】
請求項５記載の発明は、請求項１〜４のいずれか１項に記載の電気掃除機用吸込具を、移動体が挟持された状態において、ガイド体と前記移動体の接触部を複数ヶ所設けたことにより、移動体が挟持された状態において、移動体はガイド部の複数の接触部と挟持部とで確実に挟持された状態となり、安全装置としての信頼性を向上することができるものである。
【００２１】
請求項６記載の発明は、請求項１〜５のいずれか１項に記載の電気掃除機用吸込具を、通常使用時において、ストッパー片の一部がガイド体の溝部に入り込むように構成したことにより、安全装置をコンパクトに構成し吸込具本体の小型化を実現できるものである。
【００２２】
請求項７記載の発明は、請求項１〜６のいずれか１項に記載の電気掃除機用吸込具を、通常使用時において、移動体の移動を最小限に抑える規制体をストッパー片に構成したことにより、移動体とその周辺の壁体との衝撃を緩和することができ、不快な音を低減できるものである。
【００２３】
請求項８記載の発明は、請求項１〜７のいずれか１項に記載の電気掃除機用吸込具を、移動体がガイド体に当たる時に発生する共振音を防止する防振体を吸込具本体を構成する壁体と前記ガイド体の間に当接して設けたことにより、移動体がガイド体に当たる時の衝撃を分散、減衰するので、不快な音を軽減できるものである。
【００２４】
請求項９記載の発明は、塵埃吸引用の電動送風機と、塵埃を捕集する集塵室を有し、請求項１〜８のいずれか１項に記載の電気掃除機用吸込具と連通するように接続される接続口を備えた電気掃除機であるため、清掃作業の快適性を向上できるものである。
【００２５】
【実施例】
（実施例１）
以下、本発明の第１の実施例を、図１〜８を用いて説明する。
【００２６】
図８に示すように、吸込具本体１は絨毯などの被掃除面に付着した塵埃を遊離させる回転体２（図５参照）を内蔵し、後部に延長管３と接続される連結体４を回転自在に設けている。掃除機本体５は、内部に塵埃を集塵する集塵室６と電動送風機７を備えており、掃除機本体５に設けた接続口８に、延長管３に接続したホース９を接続し、吸込具本体１の連結体４を接続口８に連通するように構成している。
【００２７】
図５、６に示すように、吸込具本体１は、下部ケース１０と下部ケース１０の上方を覆う上部ケース１１とを備え、下部ケース１０は長手方向に伸びる吸込口１２に臨むように回転体２を保持している。さらに、下部ケース１０の下面、すなわち吸込具本体１の下面には回転ローラー１４が上下動自在に配されている。つまり回転ローラー１４は操作部１５を介して吸込具本体１の下部ケース１０に回動可能に軸支されている。回転体２は、下部ケース１０の後方一側面側に保持された電動機１６により回転駆動されるもので、電動機１６の回転駆動をベルト１７を介して回転伝達し、この回転により回転体２が回転し、回転体２の外周面に設けた毛ブラシ１８が絨毯等に付着したゴミを掻き出す。回転ローラー１４の両側を覆うようにブラッケット２０を配し、このブラケット２０で回転ローラー１４の回転軸１９を軸支し、吸込具本体１の進行方向に回転ローラー１４が回転するようにしている。このブラケット２０の回転軸１９より後方側の一端部が操作部１５に一体的に接続される。下部ケース１０の下面に対し平行でかつ長手方向に延びる軸２１に操作部１５を取りつけており、ブラケット２０が軸２１中心に回動する。軸２１は下部ケースに１０にを支持されている。操作部１５は下部ケース１０の下面に対し平行な軸２１を中心に回動するものであり、回転ローラー１４が被掃除面にあたり上方に押し上げられると、操作部１５の軸２１を中心に回動して上方に移動する。なお、軸２１は操作部１５の回動に合わせて回転するように、操作部１５と軸２１は一体的に連結している。また、軸２１の一端に巻設したコイルバネ２２により、回転ローラー１４を下部ケース１４から下方に突出する方向に付勢する。軸２１の一端側に外周方向に突出させたアーム２３によりコイルバネ２２の一端を支持し、軸２１の他端側にはこの軸２１を中心に回動する略Ｕ字状のストッパー片２４を一体的に取りつけている。回転ローラー１４の接地面への離間・接地に連動してブラケット２０が回転ローラー１４と一体に回動変位する。一方、ストッパー片２４の周囲はカバー体２５で覆われている。カバー体２５は下部ケース１０に固定されている。又、カバー体２５は、回転ローラー１４の上部も含めてストッパー片２４の上部を覆うカバー部２６を有し、カバー部２６のアーム２３側には側壁を有し、その側壁に側方に突出するスイッチ２７を保持する一対の保持突起２８を設けている。また、プリント基板２９を設置するための支持突起３０を備えている。スイッチ２７のオン、オフは、アーム２３の回動に連動するスイッチ２７に設けた接点アーム３１の回動位置によって切り換えられる。
【００２８】
図１〜４、７に示すように、カバー体２５の側壁には、傾斜面３３を有し、その傾斜面３３の数カ所に凹部３４を形成したガイド体３２を設け、ガイド体３２の中央には図７に示すように上下方向に延びる溝部４０を形成し、球体からなる移動体３５が溝部４０に沿って移動できるようにしている。ストッパー片２４との間には移動体３５を配している。略Ｕ字状のストッパー片２４の一端側を軸２１に固定し、そのストッパー片２４の端部側の先端部であってガイド体３２と対向する面を、移動体３５の外形形状に沿うように断面略円弧状にして形成し、挟持部３６を形成している。挟持部３６の先端には、ガイド体３２側に突出し、通常使用時（図３の状態）にガイド体３２の溝部４０に入り込めるよう細くした形状の阻止体３７を設け、阻止体３７のガイド体３２に対向する面も断面略円弧状とし、この円弧状は挟持部３６の円弧面より反ガイド体２３側に一段落とした位置で形成している。通常使用時に移動体３５の水平方向の移動を規制するように、Ｕ字状のストッパー片２４の窪みを埋める規制体３８を設けている。ストッパー片２４が回動しカバー体２５の側壁に接した時、すなわち、阻止体３７がガイド体３２から最も離れた状態の時、ガイド体３２の傾斜面３３と阻止体３７の先端との間を、移動体３５の直径より狭くして構成している。また、ガイド体３２の吸込具本体１後部方向にカバー体２５と下部ケース１０及び上部ケース１１との間に防振効果の高い軟材で形成した防振体３９を設けている。
【００２９】
上記構成による作用は以下のとおりである。
【００３０】
吸込具本体１を被掃除面から離して空中に浮かすと、図４に示すように、回転ローラー１４も被掃除面から離れると同時にコイルバネ２２の付勢力により下部ケース１０からの突出量が大きくなる。したがって、アーム２３は接点アーム３１から離間してスイッチ２７がオフ状態となり、回転体２の回転が停止される。
【００３１】
次に、吸込具本体１を被掃除面に接地させると、図３に示すように、コイルバネ２２の付勢に抗して回転ローラー１４が接地面によって押し上げられつつ軸２１を回転させ、この軸２１の回転に連動してアーム２３が接点アーム３１を回動させ、スイッチ２７がオン状態となり回転体２を回転させる。
【００３２】
一方、不用意に吸込具本体１を上下反転した場合について説明する。一旦、吸込具本体１を持ち上げて被掃除面から離間するために、電動機１６が駆動停止状態とされた後、上下反転される。この時、図１に示すように、この上下反転操作に連動して移動体３５は阻止体３７とガイド体３２の間に移動し、阻止体３７とガイド体３２の間は移動体３５の直径より狭いため移動体３５はその位置で保持され、静止状態を維持することができる。このため、軸２１の回転が阻止されてスイッチ２７のオフ状態が維持され、回転体２の停止状態が維持される。
【００３３】
さらに、この状態からコイルバネ２２の付勢に抗して回転ローラー１４を押し下げる（回転ローラー１４を下部ケース１０側に押し込む）ように操作されても、移動体３５は静止状態であり挟持されようとする時不安定な状態になることなく、図２に示すように、移動体３５は阻止体３７より力を受けてガイド体３２と阻止体３７とで保持されていた位置から上方へ移動し、ガイド体３２と挟持部３６とで挟持される位置で、移動体３５とガイド体３２が接触する接触部と、移動体３５と挟持部３６が接触する接触部とで水平方向に対して斜めに挟持される。この時、移動体３５は挟持部３６の移動体３５の外形形状に沿った略円弧状の面と、ガイド体３２の溝部４０及び傾斜面３３とにより中心軸を挟まれた状態になっている。また、阻止体３７は挟持部３６に対して一段低い位置にあるため、移動体３５の外形とは隙間ができている。このため、移動体３５は確実に挟持されるため軸２１の回転が阻止されてスイッチ２７のオフ状態が維持され、回転体２の停止状態を維持することができる。したがって、吸込具本体１を不用意に上下反転させた時、回転ローラー１４に外部から力が加わっても不用意なロック解除による回転体２の回転を防止でき、安全装置としての信頼性を向上することができる。
【００３４】
また、通常使用中に敷居を乗り越えるなど強い衝撃が吸込具本体１に加わった時、衝撃力に起因して移動体３５が上方に移動しようとすると同時に、ストッパー片２４が図４（ａ）に示す状態から図３（ａ）に示す状態に移行し始める。この時、移動体３５はガイド体３２の傾斜面３３あるいは凹部３４に衝突し跳ね返り挟持される位置には移動しないため、通常使用中に不用意に移動体３５が挟持され吸込具本体１の底面から回転ローラー１４が突出したままになり使用不可能になるといった最悪状態を避けることができる。
【００３５】
また、通常使用中に、移動体３５はカバー体２５と規制体３８の間に位置しており、規制体３８は移動体３５の移動を最小限に抑えるようにストッパー片２４に設けられているため、移動体３５のガタツキは最小限に抑えられている。また吸込具本体１の上下反転時には、移動体３５はガイド体３２と阻止体３７とで保持され静止状態を維持している。さらに、防振効果の高い軟材で形成した防振体３９を設けているため、移動体３５がカバー体２５あるいはガイド体３２等の周辺部位に衝突する際の衝撃を緩和することができ、不快な音を低減できる。
【００３６】
また、通常使用中に阻止体３７はガイド体３２の溝部４０に入り込むため、安全装置をコンパクトに構成でき吸込具本体１の小型化を実現できる。
【００３７】
また、移動体３５が挟持されている時、ガイド体３２は移動体３５から力を受けているが、移動体３５の一部分は溝部４０に落ち込むため、前記移動体３５と前記溝部４０を有するガイド体３２との接触部は２ヶ所となり、移動体３５を挟持しているために、ガイド体３２が受ける力を分散することができ、ガイド体３２の破損を軽減できる。
【００３８】
また、吸込具本体１を分解し上部ケース１１を取り外した時、吸込具本体１を上下反転しても移動体３５は阻止体３７の先端とガイド体３２の傾斜面３３とで保持されるため、分解時、移動体３５が吸込具本体１から落ちて消失してしまうのを防止することができる。
【００３９】
また、組立時において、移動体３５は阻止体３７とガイド体３２の傾斜面３３の間を通して挿入するが、この時、ストッパー片２４の弾性を利用して挿入することができるものである。
【００４０】
また、床面接地部を回転ローラー１４としているので、吸込具本体１を被掃除面へ接地した時、回転ローラー１４の動きに応じてスイッチ２７をオンできると共に、掃除作業中、被掃除面を傷つけるのをなくすことができる。
【００４１】
また、回転ローラー１４をコイルバネ２２により接地する方向に付勢しているので、吸込具本体１を被掃除面へ接地した時回転ローラー１４を押圧し、吸込具本体１を被掃除面から離した時回転ローラー１４を突出させることができ、吸込具本体１の被掃除面への接地状態及び非接地状態を確実に判別することができて、吸込具本体１が被掃除面へ接地している時のみスイッチ２７をオンすることができる。
【００４２】
なお、本実施例では挟持部３６及び阻止体３７を略円弧状に形成したが、それぞれを直線状に形成することや、防振体３９を別部材の軟体で構成したが、下部ケース１０あるいは上部ケース１１等と一体成形されたリブ体で構成しても、それぞれ同様の効果が得られるし、凹部３４を移動体３５が挟持される位置に設けてもそれぞれ同様の効果が得られる。
【００４３】
【発明の効果】
以上のように、本発明によれば、裏返しの状態で不用意なロック解除により回転体が回転することがなく、通常使用状態での不用意なロックを防止するといった使用勝手が良好であると共に、不快音を低減した電気掃除機用吸込具及び清掃作業の快適性を向上させた電気掃除機が提供できる。
【図面の簡単な説明】
【図１】  （ａ）本発明の第１の実施例を示す電気掃除機用吸込具を上下反転した時の要部断面図
（ｂ）同電気掃除機用吸込具を上下反転した時のスイッチの作用説明図
【図２】  （ａ）同電気掃除機用吸込具を上下反転し、回転ローラーに外部から力が加わった時の要部断面図
（ｂ）同電気掃除機用吸込具を上下反転し、回転ローラーに外部から力が加わった時のスイッチの作用説明図
【図３】  （ａ）同電気掃除機用吸込具を接地した時の要部断面図
（ｂ）同電気掃除機用吸込具を接地した時のスイッチの作用説明図
【図４】  （ａ）同電気掃除機用吸込具を持ち上げた時の要部断面図
（ｂ）同電気掃除機用吸込具を持ち上げた時のスイッチの作用説明図
【図５】  同電気掃除機用吸込具の通常使用時の断面図
【図６】  同電気掃除機用吸込具を持ち上げた時の要部断面図
【図７】  図４のＡ−Ａ断面図
【図８】  同電気掃除機用吸込具を備えた電気掃除機の全体側面図
【図９】  （ａ）従来の電気掃除機用吸込具を上下反転した時の要部断面図
（ｂ）同電気掃除機用吸込具を上下反転した時のスイッチの作用説明図
【図１０】  （ａ）同電気掃除機用吸込具を接地した時の要部断面図
（ｂ）同電気掃除機用吸込具を接地した時のスイッチの作用説明図
【図１１】  （ａ）同電気掃除機用吸込具を持ち上げた時の要部断面図
（ｂ）同電気掃除機用吸込具を持ち上げた時のスイッチの作用説明図
【図１２】  同電気掃除機用吸込具の側面図
【図１３】  同電気掃除機用吸込具の上部ケースとプリント基板を取り外した平面図
【図１４】  同電気掃除機用吸込具のストッパー片の正面図
【図１５】  同電気掃除機用吸込具のカバー体の平面図
【図１６】  同電気掃除機用吸込具のカバー体の側面図
【符号の説明】
１  吸込具本体
２  回転体
１０  下部ケース
１２  吸込口
１４  回転ローラー（検出部）
１５  操作部
１６  電動機
２４  ストッパー片
２７  スイッチ
３２  ガイド体
３３  傾斜面
３５  移動体
３７  阻止体
【図１】
0004617558.tif 000002
【図２】
0004617558.tif 000003
【図３】
0004617558.tif 000004
【図４】
0004617558.tif 000005
【図５】
0004617558.tif 000006
【図６】
0004617558.tif 000007
【図７】
0004617558.tif 000008
【図８】
0004617558.tif 000009
【図９】
0004617558.tif 000010
【図１０】
0004617558.tif 000011
【図１１】
0004617558.tif 000012
【図１２】
0004617558.tif 000013
【図１３】
0004617558.tif 000014
【図１４】
0004617558.tif 000015
【図１５】
0004617558.tif 000016
【図１６】
0004617558.tif 000017